(57)【特許請求の範囲】
【請求項１】
同種の機器間で共通のホスト名が付された内部機器と、
当該共通のホスト名と前記内部機器のＩＰアドレスを対応付けるアドレス対応付け装置
と、
外部ネットワークを介して外部サイトから提供される、前記共通のホスト名を少なくと
も含んだページ情報を閲覧するためのウェブ閲覧装置と、がホームネットワークに接続さ
れるホームネットワークシステムであって、
外部サイトから提供されるページ上の操作ボタンに埋め込まれたハイパーリンクのリン
ク先のホスト名が前記共通のホスト名である場合に、前記ウェブ閲覧装置を介して前記操
作ボタンが操作されると、前記ウェブ閲覧装置が前記アドレス対応付け装置に当該内部機
器のＩＰアドレスを問い合わせることを特徴とするホームネットワークシステム。
【請求項２】
ホームネットワーク内に配置され、同種の機器間で共通のホスト名が付された録画機器
と、
前記ホームネットワーク内に配置され、前記ホスト名と前記録画機器固有のＩＰアドレ
スの対応付けを行うアドレス対応付け装置と、
前記ホームネットワーク外に配置され、録画機器による番組予約のための情報を提供す
るサーバと、
前記ホームネットワーク内に配置され、前記サーバから送信される情報を表示すると共
に、前記録画機器に対して番組予約の指示を行うウェブ閲覧装置を備え、
前記サーバは、
番組予約に必要な情報を格納する番組情報格納手段と、
前記番組情報格納部に格納された番組情報に基づいてページ情報を作成するページ情報
作成手段と、
前記ページ情報作成手段で作成され、録画機器の前記共通のホスト名を少なくとも含ん
だページ情報を前記ウェブ閲覧装置に送信する送信手段を備え、
前記ウェブ閲覧装置は、
前記ページ情報を表示する表示手段、
ユーザの入力を受け付ける入力手段、
入力手段からの録画指示入力に応じて、前記アドレス対応付け装置への問合せを行うこ
とにより、録画予約を行う録画機器固有のＩＰアドレスを取得するアドレス手段と、
前記録画機器に対して番組予約の指示データを送信する番組予約データ送信手段を備え
、
前記録画機器は、前記ウェブ閲覧装置から送信されたデータに従って録画予約を実行す
る録画予約ネットワークシステム。
【発明の詳細な説明】
【０００１】
【発明の属する技術分野】
本発明は、ホームネットワークシステム、録画予約ネットワークシステムおよび情報再生ネットワークシステムに関し、特に、パソコン等のウェブ閲覧装置を用いながら、外部サイトの番組予約情報または映像情報ファイルを、ホームネットワーク内の録画装置に取り込むネットワークシステムに関する。
【０００２】
【従来の技術】
外部サイトの番組予約情報を、インターネットを経由して録画装置に取り込むネットワークシステムとして、従来、図１１に示すようなシステムが公知となっている。かかる従来システムにおいては、対応サイト４に、ウェブサーバ部４０１と、メール送信部４０２と、番組情報データベース４０３と、メールアドレスデータベース４０４が配備されている。メールアドレスデータベース４０４には、録画装置のメールアドレスが予め登録されている。
【０００３】
録画予約を行う場合には、対応サイト４にウェブ閲覧装置３からアクセスし、ブラウザ等のウェブ閲覧部３２によって番組予約ページを表示部３１に表示させる。しかして、ユーザが所望の番組を選択し、録画装置１へのメール送信を指示すると、対応サイト４は、メールアドレスデータベース４０４から当該録画装置１のメールアドレスを読み出し、メール送信部４０２を介して、選択された番組に関する番組予約情報を録画装置に送信する。
【０００４】
しかして録画装置１に受信された番組予約情報メールは、まず、ネットワーク通信部１１からメール受信部１２に転送され、さらにメール解析部１３に転送される。メール解析部１３は、かかるメールが録画予約に関するものかを判定し、録画予約のメールであれば、かかるメール情報を解析して録画予約に必要な予約情報（チャンネル、開始時刻、終了時刻等）をハードディスク１５に格納する。これにより、当該番組の録画予約が終了する。
【０００５】
このようにして録画予約セットされると、かかる予約情報は、制御部１７によって監視され、やがて内蔵タイマーが予約番組の開始時刻を表示すると、制御部１７から録画部１６に録画開始指令が出力される。これを受けて録画部１６は、放送受信部１８にて受信された放送波の内、予約対象チャンネルの放送波信号を記録方式に従う信号に変換し、これを順次ハードディスク１５に書き込む。これにより、当該番組の録画が実行される。
【０００６】
しかる後、上記内蔵タイマーが番組終了時刻を表示すると、制御部１７は、録画部１６に対して録画終了指令を出力する。録画部１６は、かかる指令を受けて、ハードディスク１５への書き込みを終了し、これにより、当該番組の録画が終了する。
【０００７】
録画番組の再生においては、まず、制御部１７から再生部１４に対し、ユーザ指定番組の再生指令が出力される。これを受けて再生部１４は、当該番組のファイル情報をハードディスク１５から読み出し、これを表示処理部１９に送る。表示処理部１９は、かかるファイル情報を映像情報（音声情報を含む）に変換し、これを表示装置（スピーカを含む）に送る。しかして、所望の番組の再生が実行される。
【０００８】
【発明が解決しようとする課題】
上記従来システムにおいては、パソコン等のウェブ閲覧装置によって録画予約ができるので、録画装置のリモコンを介して録画予約を行う場合に比べ、操作性の向上を図ることができる。
【０００９】
しかしながら、かかる従来システムにおいては、録画予約に際して、予め、メール転送先のメールアドレスを対応サイトに登録しておかなければならない。また、録画予約の設定時には、単に、予約データメールが対応サイトから録画装置に送られるのみであるから、ウェブ閲覧装置によって予約が良好にセットされたかを確認することができず、かかる場合、ユーザは、一々録画装置１を起動操作して、録画予約状況を確認しなければならない。
【００１０】
このように、上記従来システムにおいては、予約セット時と予約確認時に、ユーザに煩雑な作業を強制することとなる。
【００１１】
そこで、本発明は、かかる不都合を解消し、対応サイトにメールアドレスを登録することなく、円滑に録画予約を行えるネットワークシステムを提供する。また、ウェブ閲覧装置を介して、録画予約状況を調べることができるネットワークシステムを提供する。さらに発展して、上記録画予約のみならず、外部サイトからの情報ファイルの取得を円滑に行えるネットワークシステムを提供することを課題とする。
【００１２】
【課題を解決するための手段】
外部サイトから提供されるページ情報に予め操作ボタンの記述を含めておく。当該操作ボタンには、ホームネットワークの内部機器のホスト名がリンク先ホスト名としてハイパーリンクされている。ここで、内部機器のホスト名は、同種の機器間で共通とされる。したがって、前記ページ情報に追記された操作ボタンのリンク先ホスト名は、当該共通のホスト名のみでよい。
【００１３】
ホームネットワークには、前記共通のホスト名を当該ホームネットワーク内の内部機器のＩＰアドレスに変換するＤＮＳ装置と、前記ページ情報を閲覧するためのウェブ閲覧装置が配されている。前記外部サイトから提供されたページをウェブ閲覧装置で閲覧し、当該ページ上の操作ボタンが操作されると、当該操作ボタンのリンク先ホスト名が、当該ホームネットワークに接続された内部機器のＩＰアドレスに変換される。これにより、前記ハイパーリンクのリンク先が、当該ホームネットワーク内の内部機器に変換される。これにより、当該操作ボタンの操作によって出力される命令情報（クエリ）が、当該ホームネットワーク内の内部機器に取り込まれる。よって、前記操作ボタンによって指示される制御内容が当該ホームネットワーク内の内部機器によって実現されるようになる。
【００１４】
前記操作ボタンによって指示される制御内容がホームネットワーク内の内部機器で実行されると、その完了を示すページ情報が、内部機器からウェブ閲覧装置に提供される。これにより、前記制御内容の完了を、ウェブ閲覧装置によって確認することができる。
【００１５】
このように、本発明によれば、内部機器に対する制御内容の設定とその完了を、ウェブ閲覧装置によって確認することができる。また、当該制御内容の設定は、外部サイトから提供されるページ上の操作ボタンを操作するのみで行われ、よって、上記従来システムに比べ、操作の簡便化を図ることができる。
【００１６】
各請求項に係る発明の特徴は以下の通りである。
【００１７】
本発明のホームネットワークシステムは、同種の機器間で共通のホスト名が付された内部機器と、前記共通のホスト名と前記内部機器のＩＰアドレスを対応付けるアドレス対応付け装置と、外部ネットワークを介して外部サイトから提供される、前記共通のホスト名を少なくとも含んだページ情報を閲覧するためのウェブ閲覧装置と、がホームネットワークに接続されるホームネットワークシステムであって、外部サイトから提供されるページ上の操作ボタンに埋め込まれたハイパーリンクのリンク先のホスト名が前記共通のホスト名である場合に、前記ウェブ閲覧装置を介して前記操作ボタンが操作されると、前記ウェブ閲覧装置が前記アドレス対応付け装置に当該内部機器のＩＰアドレスを問い合わせることを特徴とする。
【００１９】
本発明の録画予約ネットワークシステムは、ホームネットワーク内に配置され、同種の機器間で共通のホスト名が付された録画機器と、前記ホームネットワーク内に配置され、前記ホスト名と前記録画機器固有のＩＰアドレスの対応付けを行うアドレス対応付け装置と、前記ホームネットワーク外に配置され、録画機器による番組予約のための情報を提供するサーバと、前記ホームネットワーク内に配置され、前記サーバから送信される情報を表示すると共に、前記録画機器に対して番組予約の指示を行うウェブ閲覧装置を備える。前記サーバは、番組予約に必要な情報を格納する番組情報格納手段と、前記番組情報格納部に格納された番組情報に基づいてページ情報を作成するページ情報作成手段と、前記ページ情報作成手段で作成され、録画機器の前記共通のホスト名を少なくとも含んだページ情報を前記ウェブ閲覧装置に送信する送信手段を備える。前記ウェブ閲覧装置は、前記ページ情報を表示する表示手段、ユーザの入力を受け付ける入力手段、入力手段からの録画指示入力に応じて、前記アドレス対応付け装置への問合せを行うことにより、録画予約を行う録画機器固有のＩＰアドレスを取得するアドレス手段と、前記録画機器に対して番組予約の指示データを送信する番組予約データ送信手段を備える。そして、前記録画機器は、前記ウェブ閲覧装置から送信されたデータに従って録画予約を実行することを特徴とする。
【００２９】
上記各請求項に記載の発明では、外部サイトから提供されるページ情報に、予め、ホームネットワークの内部機器のホスト名がリンク先ホスト名としてハイパーリンクされている操作ボタンを含めておく必要がある。したがって、上記請求項の発明を実現するためには、外部サイトに一定の制約を課することとなってしまう。そこで、以下の発明では、外部サイトから提供されるページ情報に上記操作ボタンの記述を追記する手段を配し、これにより、外部サイトから提供されるページ情報に上記操作ボタンの記述が含められていなくとも、上記と同様の制御内容を、内部機器に実行させ得るものである。
【００４０】
なお、請求項における「ホスト名」、「ＩＰアドレス」、「サイト」、「ハイパーリンク」、「ＣＧＩ」、「ＵＲＬ」、「ＤＮＳ」等の用語は、ネットワークシステムにおいて通常用いられている用語の意義に基づいて理解されるべきものである。この内、「ＣＧＩ」は、Ｃｏｍｍｏｎ―Ｇａｔｅｗａｙ―Ｉｎｔｅｒｆａｃｅ、「ＵＲＬ」は、Ｕｎｉｆｏｒｍ―Ｒｅｓｏｕｒｃｅ―Ｌｏｃａｔｏｒ、「ＤＮＳ」は、Ｄｏｍａｉｎ―Ｎａｍｅ―Ｓｙｓｔｅｍの略語である。
【００４１】
本発明の特徴は、以下に示す実施の形態の説明により更に明らかとなろう。
【００４２】
ただし、以下の実施の形態は、あくまでも、本発明の一つの実施形態であって、本発明ないし各構成要件の用語の意義は、以下の実施の形態に記載されたものに制限されるものではない。
【００４３】
なお、本発明における「内部機器」には、実施の形態における録画装置１が対応する。ここで、実施の形態においては、録画装置１は、録画機能の他、録画予約機能および再生機能を全て備えるものとして統一されているが、たとえば、外部サイトから情報ファイルを取得し、これを録画することなくストリーム再生するような場合においては、当該録画装置１には、録画機能と録画予約機能は特に必要なく、単に、再生機能のみを有していれば足りる。
【００４４】
【発明の実施の形態】
以下、本発明の実施の形態につき図面を参照して説明する。
【００４５】
図１に実施の形態に係るネットワークシステムの構成を示す。
【００４６】
図において、録画装置１は、上記従来システムとして示した図１１の録画装置と同様、録画機能、録画予約機能および再生機能を有している。ここで、録画予約情報は、後述の如く、対応サイトから取得した番組ＩＤと、ハードディスク１０７に格納されたＥＰＧ（電子番組表）とを対比することによって取得される。かかる録画予約情報は、ハードディスク１０７に記憶される。
【００４７】
かかる録画予約情報に従って、制御部１０９が録画部１０８を制御し、これにより、当該番組の録画がなされる。録画される映像情報（音声情報を含む）は、放送受信部１１０からの放送波信号を録画部１０８にて処理することによって取得される。かかる映像情報は、録画部１０８からハードディスク１０７に出力され記録される。また、ハードディスク１０７に記録された映像情報は、再生部１０６によって取り出され、再生処理される。
【００４８】
上記処理のうち録画予約後の処理は、上記従来システムとして説明した図１１の録画装置における処理と同様である。すなわち、図１に示す録画装置１の内、再生部１０６、録画部１０８、制御部１０９放送受信部１１０および表示処理部１１１の機能は、上記従来システムにおける各部の機能と同一である。
【００４９】
ただし、ハードディスク１０７は、上記従来システムに比べて、さらにＥＰＧ（電子番組表）を格納する点において相違している。また、本実施の形態に係る録画装置１は、ネットワーク通信部１０１、ウェブサーバ部１０２、命令解析部１０３、ウェブページ作成部１０４およびＥＰＧ解析部１０５を新たに配した点において、上記従来システムと相違している。以下、これら従来システムと相違する構成を中心に、録画装置１について説明する。
【００５０】
ネットワーク通信部１０１は、通信網からのデータをウェブサーバ部１０２に転送し、また、ウェブサーバ部１０２からの情報を通信網に転送する。ウェブサーバ部１０２は、ネットワーク通信部１０１からの情報を命令解析部１０３に転送し、命令解析部１０３のＣＧＩを実行させる。また、ウェブページ作成部１０４によって作成されたページ情報をネットワーク通信部１０１に転送する。
【００５１】
命令解析部１０３は、内部にＣＧＩを含み、ウェブサーバ部１０２からの情報をかかるＣＧＩに従って処理して、所定の番組予約情報を生成する。なお、番組予約情報の生成処理については、追って詳述する。かかる番組予約情報は、命令解析部１０３からハードディスク１０７に出力され、ここに格納される。
【００５２】
ウェブページ作成部１０４は、命令解析部１０３における番組予約情報の格納処理が終了したことに応じて、録画予約状況を示すページ情報を生成し、これをウェブサーバ部１０２に転送する。
【００５３】
ＥＰＧ解析部１０５は、放送受信部１１０から提供される放送波信号からＥＰＧデータを抽出し、これをハードディスク１０７に格納する。なお、かかるＥＰＧには、当該番組の番組ＩＤと、その予約に必要な情報（番組予約情報：チャンネル、開始時間、終了時間、等）が、番組毎に区分して含まれている。
【００５４】
上記構成を有する録画装置１には、たとえば、“ＭｙＨｏｍｅＳｅｒｖｅｒ”といった固有のホスト名が割り振られている。かかるホスト名は、他の録画装置にも共通となっている。すなわち、他のユーザが他のホームネットワークに接続する録画装置にも、上記固有のホスト名“ＭｙＨｏｍｅＳｅｒｖｅｒ”が割り振られている。
【００５５】
かかるホスト名は、たとえば、全世界に存在する全ての録画装置について共通とされる。あるいは、国内または都道府県等、所定地域内に存在する録画装置について共通とされる。このように、録画装置１のホスト名を共通とすることにより、対応サイト４にて提供されるページ上に埋め込まれるハイパーリンク（詳細は後述する）のリンク先ホスト名を単一とすることができるようになる。
【００５６】
次に、対応サイト４について説明する。
【００５７】
対応サイト４には、ウェブサーバ部４０１と番組情報データベース４０２が配備されている。ウェブサーバ部４０１は、ウェブ閲覧装置３によって指定されたウェブページデータを送信する。番組情報データベース４０２には、番組予約に必要な番組情報が格納されている。対応サイト４には、図示省略した制御部が配されており、かかる制御部によって、番組情報をもとに、ページ情報が作成される。そして、作成されたページ情報は、ウェブサーバ部４０１を介してインターネットに出力される。
【００５８】
図２に、ウェブサーバ部４０１から提供されるページ情報の一例を示す。図示の如く、当該ページ上には、録画予約ボタンが含まれており、この録画予約ボタンに上記録画装置のホスト名“ＭｙＨｏｍｅＳｅｒｖｅｒ”と、当該録画装置内の録画予約ＣＧＩがハイパーリンクされている。また、ＵＲＬには、録画予約される番組の番組ＩＤが添付されている。
【００５９】
次に、ＤＮＳ装置５について説明する。
【００６０】
ＤＮＳ装置５には、ホスト名・ＩＰアドレス変換部５０１と、ホスト名・ＩＰアドレス変換表５０２が配備されている。ホスト名・ＩＰアドレス変換部５０１は、ウェブ閲覧装置３からのアクセス先のホスト名がホスト名・ＩＰアドレス変換表５０２に存在するかを判別し、存在する場合には、そのホスト名を対応するＩＰアドレスに変換し、これをアクセス先アドレスとする。
【００６１】
ここで、かかるホスト名・ＩＰアドレス変換表５０２には、予め、録画装置１のホスト名とそのＩＰアドレスが登録されている。ＤＮＳ装置５は、ＤＨＣＰ（Ｄｙｎａｍｉｃ―Ｈｏｓｔ―Ｃｏｎｆｉｇｕｒａｔｉｏｎ―Ｐｒｏｔｏｃｏｌ）サーバを内蔵しており、登録された録画装置１のホスト名に対し、当該ホームネットワークに適合するＩＰアドレスを割り当てる。そして、かかるＩＰアドレスを、録画装置１のホスト名に対応させてホスト名・ＩＰアドレス変換表５０２に格納する。
【００６２】
かかるＩＰアドレスの割り当てによって、ホームネットワーク毎に録画装置１のＩＰアドレスが区別できるようになる。上記のとおり、録画装置１のホスト名は他の録画装置と共通のものであったが、かかるＤＮＳ変換装置５内のＤＨＣＰサーバによって、ホームネットワーク毎に、録画装置１のＩＰアドレスが区別されるようになる。よって、ウェブサーバ部４０１から提供されるページ上のハイパーリンクのリンク先ホスト名が上記の如く単一であっても、かかるホスト名はＤＮＳ変換装置５によって、当該ホームネットワーク毎に区別され得るＩＰアドレスに変換され、これにより、当該ハイパーリンクのリンク先が、各ホームネットワーク内においては、当該ホームネットワークに接続された録画装置に設定される。
【００６３】
しかして、ウェブサーバ部４０１から提供されるページ上で共通であったリンク先が、それぞれのホームネットワークに接続された録画装置のＣＧＩに向けられるようになる。これにより、後述の如く、録画装置１において、当該ページ情報を利用した録画予約が可能となる。
【００６４】
なお、録画装置１のホスト名は、録画装置１をホームネットワークに接続する際に、自動もしくは手動によって、ＤＮＳ装置５に登録される。
【００６５】
図３に、上記録画予約ネットワークシステムの動作フローチャートを示す。
【００６６】
まず、ユーザが、ウェブ閲覧装置３から番組予約ページを有する対応サイト４のウェブサーバ部４０１にアクセスすると（Ｓ１０１）、対応サイト４は、図２に示すような録画予約ハイパーリンクを含んだウェブページ（番組表など）をウェブ閲覧装置３に送信する（Ｓ１０２）。かかるページ情報を受信したウェブ閲覧装置３は、ブラウザ等のウェブ閲覧部３０２によって、かかるウェブページを表示部３０１に表示する。
【００６７】
かかる表示のもと、ユーザが、当該ページの中から所望の番組を選択し、当該ページに含まれている録画予約ボタンをクリックすると（Ｓ１０３）、かかる録画予約ボタンにハイパーリンクされている録画装置１のホスト名に向かって、クエリ（番組ＩＤを含む送信データ）がウェブ閲覧装置３から送信される。かかるホスト名はＤＮＳ変換装置５によって、当該ホームネットワークに接続されている録画装置１のＩＰアドレスに変換される。これにより、ウェブ閲覧部３のアクセス先は、当該ホームネットワークに接続された録画装置１となる。
【００６８】
しかして、ウェブ閲覧装置３からのクエリは、録画装置１のネットワーク通信部１０１に転送される。ネットワーク通信部１０１は、かかるクエリをウェブサーバ１０２に転送する。ウェブサーバ部１０２は、かかるクエリを、アクセス先である命令解析部１０３のＣＧＩ（録画予約ＣＧＩ）に転送する（Ｓ１０４）。命令解析部１０３は、かかるクエリを解析し（Ｓ１０５）、当該クエリに含まれている番組ＩＤとハードディスク１０７に格納されたＥＰＧとを比較して、当該番組ＩＤに対応する番組予約情報をハードディスク１０７から取り出す（Ｓ１０６）。そして、かかる予約情報を、ハードディスク１０７内の所定領域に割り当てられた番組予約情報領域に書き込む（Ｓ１０７）。
【００６９】
このようにして番組予約情報の格納が完了すると、命令解析部１０３のＣＧＩは、ウェブページ作成部１０４に、番組予約完了のメッセージを生成させ、これをウェブ閲覧部３に送信する（Ｓ１０８）。ここで、メッセージは、録画予約された番組情報を含む。これにより、かかるメッセージがウェブ閲覧装置３上に表示される。ユーザは、かかるメッセージを参照することによって、所望の番組の予約が完了したことを確認することができる。
【００７０】
しかる後、制御部１０９は、ハードディスク１０７に格納された番組予約情報を監視し、内蔵タイマーが予約時間に達したタイミングで、録画部１０８に対し、予約番組の録画指令を発する（Ｓ１０９）。これを受けて録画部１０８は、放送受信部１１０が受信した放送波の内、予約対象チャンネルの放送波信号を記録方式に従う信号に変換し、これを順次ハードディスク１０７に書き込む（Ｓ１１０）。しかる後、予約情報の番組終了時刻になると、制御部１０９は、録画部１０８に対して録画終了指令を送る。録画部１０８はかかる指令を受けて、ハードディスク１０７への書き込みを終了する。これにより、当該番組の録画が終了する。
【００７１】
ところで、上記のネットワークシステムでは、対応サイトから提供されるページ情報中に、図２に示すとおり、番組ＩＤが含まれており、録画装置１は、かかる番組ＩＤを基に、ハードディスク１０７内のＥＰＧから番組予約情報を取得するよう構成されていた。すなわち、録画装置１には、ＥＰＧ解析部１０５が配備されており、かかるＥＰＧ解析部１０５にてＥＰＧ情報を抽出し、これを予めハードディスク１０７に格納しておき、かかるＥＰＧと上記番組ＩＤとを対比して、番組予約情報を取得するものであった。
【００７２】
しかし、このように番組ＩＤとＥＰＧとを対比することによって番組予約情報を取得する方法に代えて、番組予約情報そのものをページ情報中に含めておき、当該ページ情報中から番組予約情報をそのまま取得するようにすることもできる。
【００７３】
具体的には、図２の番組ＩＤに替えて、「チャンネル」、「開始時間」および「終了時間」等の番組予約情報の記述を添付する。これにより、録画装置１の命令解析部１０３に送信されるクエリには当該番組の番組予約情報が含まれることなり、よって、命令解析部１０３は、かかる予約情報をクエリから抽出し、これをそのままハードディスク１０７に書き込むことができるようになる。かかる場合、上記録画装置１には、ＥＰＧ解析部１０５が不要となり、また、ハードディスク１０７中にＥＰＧの記録領域を割り当てる必要もなくなる。さらに、上記動作フローチャート中、ステップＳ１０６の処理を省略することもできる。
【００７４】
また、番組ＩＤや番組予約情報をページ情報に含める代わりに、番組予約情報を格納したファイルのＵＲＬをページ情報中に含めておき、録画装置１から当該ファイルにアクセスして番組予約情報を取得するようにすることもできる。
【００７５】
具体的には、各番組の番組予約情報を格納したファイルを対応サイトのデータベースに格納したおき、図２のページ情報には、番組ＩＤに代えて、当該番組の番組予約情報が格納されたファイルのＵＲＬを記述する。そして、録画装置１のＣＧＩは、かかるＵＲＬをもとに、対応サイトに対し、番組予約情報ファイルの転送要求を発する。これにより、録画装置１は、当該番組予約情報を対応サイトから取得することができるようになる。
【００７６】
図４に、かかる場合のシステム構成例を示す。当該システムにおいては、録画装置１中に予約情報解析部１１２が配備されている。なお、上記の通り、対応サイトから提供されるページには、予約情報ファイルのＵＲＬが、録画装置のリンク先に続いて記述されている。
【００７７】
かかるネットワークシステムの動作について、図５の動作フローチャートを参照して説明する。
【００７８】
ユーザが、ウェブ閲覧装置３から番組予約ページを有する対応サイト４のウェブサーバ部４０１にアクセスすると（Ｓ２０１）、対応サイト４は、録画予約ハイパーリンクと当該番組の予約情報ファイルのＵＲＬを含んだウェブページをウェブ閲覧装置３に送信する（Ｓ２０２）。ウェブ閲覧装置３は、ブラウザ等のウェブ閲覧部３０２によってかかるウェブページを表示部３０１に表示する。ユーザは、かかる表示をもとに、所望の番組を選択し、当該ページに含まれている録画予約ボタンをクリックする（Ｓ２０３）。すると、かかる録画予約ボタンにハイパーリンクされている録画装置１のホスト名に向かってクエリ（予約情報ファイルのＵＲＬを含む送信データ）がウェブ閲覧装置３から送信される。かかるホスト名はＤＮＳ変換装置５によって、当該ホームネットワークに接続されている録画装置１のＩＰアドレスに変換される。これにより、ウェブ閲覧部３のアクセス先は、当該ホームネットワークに接続された録画装置１となる。
【００７９】
しかして、ウェブ閲覧装置３からのクエリは、録画装置１のネットワーク通信部１０１に転送される。ネットワーク通信部１０１は、かかるクエリをウェブサーバ部１０２転送する。ウェブサーバ部１０２は、かかるクエリを、アクセス先である命令解析部１０３のＣＧＩ（録画予約ＣＧＩ）に転送する（Ｓ２０４）。命令解析部１０３は、かかるクエリを解析し、クエリに含まれているＵＲＬの予約情報ファイルにアクセスする（Ｓ２０５）。
【００８０】
対応サイト４は、かかる命令解析部１０３からのアクセスを受けて、当該ＵＲＬの予約情報ファイルを命令解析部１０３のＣＧＩに送信する（Ｓ２０６）。ＣＧＩはこれを予約情報解析部１１２に転送する。予約情報解析部１１２は、かかる予約情報ファイルを解析し、予約情報をハードディスク１０７に格納する（Ｓ２０７）。
【００８１】
このようにして番組予約情報の格納が完了すると、命令解析部１０３のＣＧＩは、ウェブページ作成部１０４に、番組予約完了のメッセージを生成させ、これをウェブ閲覧部３に送信する（Ｓ２０８）。ここで、メッセージは、録画予約された番組情報を含む。これにより、かかるメッセージがウェブ閲覧装置３上に表示される。ユーザは、かかるメッセージを参照することによって、所望の番組の予約が完了したことを確認することができる。
【００８２】
しかる後、制御部１０９は、ハードディスク１０７に格納された番組予約情報を監視し、内蔵タイマーが予約時間に達したタイミングで、録画部１０８に対し、予約番組の録画指令を発する（Ｓ２０９）。これを受けて録画部１０８は、放送受信部１１０が受信した放送波の内、予約対象チャンネルの放送波信号を記録方式に従う信号に変換し、これを順次ハードディスク１０７に書き込む（Ｓ２１０）。しかる後、予約情報の番組終了時刻になると、制御部１０９は、録画部１０８に対して録画終了指令を送る。録画部１０８はかかる指令を受けて、ハードディスク１０７への書き込みを終了する。これにより、当該番組の録画が終了する。
【００８３】
なお、上記図４に示すネットワークシステムは、単に、番組予約のみではなく、その他の情報ファイルの送信にも応用できる。たとえば、図４および図５では、予約情報ファイルを対応サイトから取り出すものであったが、同様にして、映像情報ファイル、画像情報ファイル、音声情報ファイル、その他の情報ファイルを取り出すこともできる。かかる場合、対応サイトは、各情報ファイルのＵＲＬをページに記載して提供する。
【００８４】
図６に動画ファイルを取り出して再生する場合の動作フローチャートを示す。
【００８５】
まず、ユーザが、ウェブ閲覧装置３から動画ファイルページを有する対応サイト４のウェブサーバ部４０１にアクセスする（Ｓ３０１）。すると、対応サイト４は、動画再生ハイパーリンクと当該動画情報ファイルのＵＲＬを含んだウェブページをウェブ閲覧装置３に送信する（Ｓ３０２）。ウェブ閲覧装置３は、ブラウザ等のウェブ閲覧部３０２によってかかるウェブページを表示部３０１に表示する。ユーザは、かかる表示のもと、所望の動画ファイルを選択し、当該ページに含まれている再生ボタンをクリックする（Ｓ３０３）。すると、かかる再生ボタンにハイパーリンクされている録画装置１のホスト名に向かってクエリ（動画情報ファイルのＵＲＬを含む送信データ）がウェブ閲覧装置３から送信される。かかるホスト名はＤＮＳ変換装置５によって、当該ホームネットワークに接続されている録画装置１のＩＰアドレスに変換される。これにより、ウェブ閲覧部３のアクセス先は、当該ホームネットワークに接続された録画装置１となる。
【００８６】
しかして、ウェブ閲覧装置３からのクエリは、録画装置１のネットワーク通信部１０１に転送される。ネットワーク通信部１０１は、かかるクエリをウェブサーバ１０２転送する。ウェブサーバ部１０２は、かかるクエリを、アクセス先である命令解析部１０３のＣＧＩ（再生ＣＧＩ）に転送する（Ｓ３０４）。命令解析部１０３は、かかるクエリを解析し、クエリに含まれているＵＲＬを再生部１０６に転送する。再生部１０６は、当該ＵＲＬの動画情報ファイルにアクセスし、これを受けて対応サイト４は、当該ＵＲＬの動画ファイルを再生部１０６に送信する（Ｓ３０６）。再生部１０６は、これをハードディスク１０７に格納する。しかる後、再生部１０６は、ハードディスク１０７から動画情報を順次読み出して、これを処理する。しかして、動画ファイルに格納された動画が表示装置２上に表示される（Ｓ３０７）。
【００８７】
なお、以上の動画ファイルは、音声情報を含むものである。また、上記動画ファイルに替えて楽曲等の音声情報ファイルを提供するようにしても良い。さらに、それ以外のデータ情報ファイルを提供するようにしても良い。
【００８８】
以上、本発明に係る種々の実施の形態について説明したが、本発明は、かかる実施の形態に限定されるものではない。たとえば、上記実施の形態では、ＤＮＳ装置５を録画装置１とは別体としたが、これに替えて、両者を一体とすることもできる。また上記実施の形態では、番組情報表示用のウェブページを配信するサイトと、録画予約情報ファイルまたは映像情報ファイルを提供するサイトを同一のサイトとしたが、これらを別々のサイトとすることもできる。かかる場合、ウェブページの録画予約ボタンまたは再生ボタンに埋め込まれた当該ファイル情報のアクセス先（ＵＲＬ）は、当該別サイトの該当ファイルが記述される。
【００８９】
また、上記実施の形態では、図２のページ情報に番組ＩＤを添付して記述するようにしたが、ＨＴＴＰ（Ｈｙｐｅｒ−Ｔｅｘｔ−Ｔｒａｎｓｆｅｒ−Ｐｒｏｔｏｃｏｌ）のポストメソッドを用いれば、番組ＩＤを添付しなくとも、録画装置に対して予約情報を送ることもできる。さらに、上記実施の形態では、動画情報ファイルを再生するに際し、転送された動画情報ファイルを一旦ハードディスクに格納するようにしたが、これに替えて、ハードディスクに格納することなしに、ストリーム処理によって、動画情報ファイルを再生することもできる。
【００９０】
次に、上記実施の形態をさらに改良した他の実施の形態について説明する。
【００９１】
かかる実施の形態は、対応サイト４から提供されるページ上に、図２に示す「リンクの記述」が含まれていない場合においても、良好に、上記録画予約等を実現し得るものである。
【００９２】
図７に、当該実施の形態に係るネットワークシステムの構成例を示す。
【００９３】
当該ネットワークシステムは、図１のネットワークシステムに比べ、新たに、番組ＵＲＬ配布サイト６とウェブプロシキ装置７を配してある。その他の構成は、上記図１におけるネットワークシステムの構成と同様である。以下、ウェブプロキシ装置６と番組ＵＲＬ配布サイト７の構成を中心に、当該ネットワークシステムについて説明する。
【００９４】
図示の如く、番組ＵＲＬ配布サイト６には、番組ＵＲＬ判定部６０１と、番組ＵＲＬデータベース６０２が配備されている。
【００９５】
番組ＵＲＬ判定部６０１は、対応サイト４から提供されるファイル中のページ情報を構文解析し、番組ＵＲＬ情報（番組ページのＵＲＬと、当該番組のタイトルなどその番組を識別できるＩＤ）を生成する。番組ＵＲＬデータベース６０２は、番組ＵＲＬ判定部６０１にて生成された番組ＵＲＬ情報を、番組毎に区分して記録する。
【００９６】
ここで、番組ＵＲＬ配布サイト６は、インターネット上に接続された各対応サイトに所定のタイミングで繰り返しアクセスし、その都度、当該対応サイト４内に存在する全てのファイル情報を取得する。そして、取得したファイル情報を番組ＵＲＬ判定部７０１に解析せしめ、これにより生成された最新の番組ＵＲＬ情報を番組ＵＲＬデータベース６０４に格納せしめる。
【００９７】
なお、上記番組ＵＲＬ情報は、上記の如く番組ＵＲＬ判定部６０１にてページ情報を構文解析して取得する方法の他、当該サイトの管理者が、対応サイト４からの番組ページ情報を閲覧しながら、適宜キーボード等を操作して直接入力するようにしても良い。
【００９８】
また、ウェブプロキシ装置７には、ウェブ記述変換部７０１と、番組ＵＲＬデータベース７０２が配備されている。この内、ウェブ記述変換部７０１は、対応サイト４から送信されたページ情報のＵＲＬと番組ＵＲＬデータベース７０２に記憶された番組ＵＲＬ情報とを比較し、両者が一致（前方一致）する場合に、かかるページ情報が番組ページに関するものであると判定して、上記図２に示すリンクの記述を、当該ページの適当な場所（たとえばページの先頭）に追記する。番組ＵＲＬデータベース７０２は、番組ＵＲＬ配布サイト７から提供された番組ＵＲＬ情報（各番組の番組ページＵＲＬと、当該番組のタイトルなどその番組を識別できるＩＤ）をそのまま記憶する。
【００９９】
かかる番組ＵＲＬ情報は、たとえばユーザがウェブ閲覧装置３を介して番組ＵＲＬ配布サイト６にアクセスすることにより取得される。この際、番組ＵＲＬ配布サイト６からは、当該アクセス時に番組ＵＲＬデータベース６０２に格納されている全ての番組ＵＲＬ情報が、ウェブプロキシ装置７に送信される。これにより、ウェブプロキシ装置７内の番組ＵＲＬデータベース７０２には、当該アクセス時に番組ＵＲＬ配布サイト６に格納されている全ての番組ＵＲＬ情報が、そのまま格納される。なお、この際、番組ＵＲＬデータベース７０２に格納されている番組ＵＲＬ情報の内、ウェブプロキシ装置７内に取り込むべき番組ＵＲＬ情報を、ユーザが任意に選択できるようにしても良い。
【０１００】
次に、上記録画予約ネットワークシステムの動作について、図８の動作フローチャートを参照しながら説明する。なお、同フローチャート中、Ｓ４０５〜Ｓ４１１における処理は、上記図３に示すＳ１０４〜Ｓ１１０における処理と同一である。
【０１０１】
ユーザが、ウェブ閲覧装置３から番組対応サイト４のウェブサーバ部４０１にアクセスすると（Ｓ４０１）、対応サイト４は、ユーザ指定のページ情報をウェブプロキシ装置７内のウェブ記述変換部７０１に送信する（Ｓ４０２）。かかるページ情報を受信したウェブ記述変換部７０１は、かかるページ情報のＵＲＬと番組ＵＲＬデータベース７０２内のＵＲＬとを比較し、両者が一致（前方一致）する場合に、番組ＵＲＬデータベース７０１から番組ＩＤを読み出して、上記図２に示す「リンクの記述」を生成する。そして、かかるリンクの記述を当該ページの所定の位置に追加した後、これをウェブ閲覧装置３０１に送信する（Ｓ４０３）。
【０１０２】
かかる送信を受けてウェブ閲覧装置３は、ブラウザ等のウェブ閲覧部３０２によってかかるウェブページを表示部３０１に表示する。ユーザは、かかる表示のもと、当該ページに含まれている録画予約ボタンをクリックすると（Ｓ４０４）、かかる録画予約ボタンにハイパーリンクされている録画装置１のホスト名に向かってクエリがウェブ閲覧装置３から送信される。かかるホスト名はＤＮＳ変換装置５によって、当該ホームネットワークに接続されている録画装置１のＩＰアドレスに変換される。これにより、ウェブ閲覧部３のアクセス先は、当該ホームネットワークに接続された録画装置１となる。
【０１０３】
しかして、ウェブ閲覧装置３からのクエリは、録画装置１のネットワーク通信部１０１に転送される。ネットワーク通信部１０１は、かかるクエリをウェブサーバ１０２に転送する。ウェブサーバ部１０２は、かかるクエリを、アクセス先である命令解析部１０３のＣＧＩ（録画予約ＣＧＩ）に転送する（Ｓ４０５）。命令解析部１０３は、かかるクエリを解析する（Ｓ４０６）。そして、クエリに含まれている番組ＩＤとハードディスク１０７に格納されたＥＰＧとを比較し、当該番組ＩＤに対応する番組予約情報をハードディスク１０７から取り出す（Ｓ４０７）。そして、かかる予約情報を、ハードディスク１０７の別領域に割り当てられた番組予約情報領域に書き込む（Ｓ４０８）。
【０１０４】
このようにして番組予約情報の格納が完了すると、命令解析部１０３のＣＧＩは、ウェブページ作成部１０４に、番組予約完了のメッセージを生成させ、これをウェブ閲覧部３に送信する（Ｓ４０９）。ここで、メッセージは、録画予約された番組情報を含む。これにより、かかるメッセージがウェブ閲覧装置３上に表示される。ユーザは、かかるメッセージを参照することによって、所望の番組の予約が完了したことを確認することができる。
【０１０５】
しかる後、制御部１０９は、ハードディスク１０７に格納された番組予約情報を監視し、内蔵タイマーが予約時間に達したタイミングで、録画部１０８に対し、予約番組の録画指令を発する（Ｓ４１０）。これを受けて録画部１０８は、放送受信部１１０が受信した放送波の内、予約対象チャンネルの放送波信号を記録方式に従う信号に変換し、これを順次ハードディスク１０７に書き込む（Ｓ４１１）。しかる後、予約情報の番組終了時刻になると、制御部１０９は、録画部１０８に対して録画終了指令を送る。録画部１０８はかかる指令を受けて、ハードディスク１０７への書き込みを終了する。これにより、該当番組の録画が終了する。
【０１０６】
かかる実施の形態によれば、ウェブプロキシ装置７によって、上記図２に示す「リンクの記述」がページ情報中に追記されるので、対応サイト４０１から提供されるページ情報に「リンクの記述」が含まれていなくとも、上記図１のネットワークシステムと同様、ウェブ閲覧装置３により、録画予約を行うことができる。
【０１０７】
なお、上記図７のネットワークシステムにおいては、番組ＵＲＬ配布サイト６を別途配し、かかる番組ＵＲＬ配布サイト６から番組ＵＲＬ情報を取得してウェブプロキシ装置７に格納するようにしたが、これに代えて、ウェブプロキシ装置７内に番組ＵＲＬ判定部６０１と同様の構成を配し、対応サイト４内のファイル情報を、当該ウェブプロキシ装置７内に配した番組ＵＲＬ判定部に取り込むことによって、番組ＵＲＬ情報を生成し、これを、当該ウェブプロキシ装置７内の番組ＵＲＬデータベース７０２に格納するようにしても良い。
【０１０８】
また、上記実施の形態では、番組予約に必要な番組ＩＤがページ情報に追記されるよう構成したが、上記図４の実施形態と同様、番組ＩＤに代えて、予約情報を格納したファイルのＵＲＬを追記し、録画装置１から当該ＵＲＬにアクセスして、予約情報ファイルを取得するようにしても良い。かかる場合、上記番組ＵＲＬデータベース７０２には、番組ページのＵＲＬに対応付けて前記予約ファイルのＵＲＬを格納するようにする。
【０１０９】
また、上記実施の形態は、番組予約に関するものであったが、上記図６に示す実施の形態と同様、動画ファイルのＵＲＬをページ内に記述し、録画装置１から当該ＵＲＬにアクセスして、動画情報ファイルを取得するようにしても良い。かかる場合、上記番組ＵＲＬデータベース７０２には、番組ページのＵＲＬに対応付けて前記動画情報ファイルのＵＲＬを格納するようにする。
【０１１０】
さらに、上記実施の形態では、番組ＵＲＬデータベース７０２に記憶されたＵＲＬと、対応サイト４から提供されるページ情報ファイルのＵＲＬとを対比して、当該ページ情報ファイルの種類（番組ページファイルや動画ファイル）を判定するようにしたが、これに代えて、当該ページ情報を解析することによって当該ページ情報ファイルの種別を判定し、リンクの記述を当該ページ情報に追記するようにすることもできる。
【０１１１】
以下、かかる場合の実施の形態について、図９および図１０を参照して説明する。
【０１１２】
図９に、当該実施の形態に係るネットワークシステムの構成例を示す。本ネットワークシステムは、録画装置１が対応サイトから動画情報ファイルを取得する場合の構成例である。
【０１１３】
本ネットワークシステムにおいては、上記図７のネットワークシステムに比べ、番組ＵＲＬ配布サイト６が省略されている。また、ウェブプロキシ装置８と録画装置１の構成も変更されている。以下、ウェブプロキシ装置８と録画装置１における構成上の変更を中心として、当該ネットワークシステムについて説明する。
【０１１４】
録画装置１には、図７の構成に加えて、新たに、ファイル受信部１１２が配備されている。かかるファイル受信部１１２は、対応サイト４から送信される動画情報ファイルを受信し、制御部１０９の指令により、再生部１０５に動画情報ファイルデータを出力する。なお、録画装置１に配備されているその他の構成は、上記図７の録画装置１の構成と同様である。ただし、命令解析部１０３に含まれているＣＧＩは、上記と異なり、以下に示す動画再生処理を実行するためのものとなっている。
【０１１５】
また、ウェブプロキシ装置８には、ウェブ記述変換部８０１と、記述変換ルールデータベース８０２が配備されている。この内、記述変換ルールデータベース８０２には、ウェブ記述変換部８０１の処理に用いられる記述変換ルールが記憶されている。ウェブ記述変換部８０１は、対応サイト４から送信されたウェブページデータを解析し、記述変換ルールデータベース８０２に記された記述変換ルールに従って、ページ上に動画再生用のボタンの記述を追加する。
【０１１６】
かかる動画再生ボタンには、録画装置１のホスト名をリンク先ホスト名とし、且つ、録画装置１の命令解析部１０３内の動画再生用ＣＧＩをリンク先ファイル名とするハイパーパーリンクが埋め込まれる。
【０１１７】
ウェブ記述変換部８０１は、対応サイト４から提供されるページ情報中に、動画ファイルを表す拡張子（ａｓｘ、ｍｏｖ、ｍｐｇ、ｒｐｍ、等）が参照先となっているハイパーリンクの記述が含まれていないかを検索し、かかるハイパーリンクの記述が含まれている場合に、当該ハイパーリンクの記述の直後に、録画装置１の動画再生用ＣＧＩを参照先とするハイパーリンクの記述を追記する。ここで、追記するハイパーリンクの記述には、上記検索されたハイパーリンクの参照先となっている動画ファイルのＵＲＬをクエリとして含める。これにより、当該動画再生用ボタンが操作された場合に、録画装置１の動画再生用ＣＧＩに向かって、動画ファイルのＵＲＬを含むクエリが送信される。しかして、録画装置１は、当該動画ファイルを取得することができるようになり、もって、指定動画ファイルの再生が可能となる。
【０１１８】
次に、上記ネットワークシステムの動作について、図１０のフローチャートを参照しながら説明する。
【０１１９】
ユーザが、ウェブ閲覧装置３から動画ファイルページを有する対応サイト４のウェブサーバ部４０１にアクセスすると（Ｓ５０１）、対応サイト４は、当該動画情報ファイルをリンク先ＵＲＬとするハイパーリンクを含んだウェブページをウェブプロキシ装置８内のウェブ記述変換部８０１に送信する（Ｓ５０２）。
【０１２０】
かかる送信を受けて、ウェブ記述変換部６０１は、受信したウェブページから動画ファイルＵＲＬを検出し、記述変換ルールデータベース６０２に従って、当該動画情報ファイルのＵＲＬを含む動画再生ハイパーリンクの記述を当該ページ情報に追記する。このようにして動画再生ハイパーリンクが追記されたウェブページは、ウェブ閲覧装置３に送信される（Ｓ５０３）。
【０１２１】
ウェブ閲覧装置３は、ブラウザ等のウェブ閲覧部３０２によってかかるウェブページを表示部３０１に表示する。ユーザは、かかる表示のもと、所望の動画ファイルを選択し、当該ページに含まれた再生ボタンをクリックする（Ｓ５０４）。すると、かかる再生ボタンにハイパーリンクされている録画装置１のホスト名に向かってクエリ（動画情報ファイルのＵＲＬを含む送信データ）がウェブ閲覧装置３から送信される。かかるホスト名はＤＮＳ変換装置５によって、当該ホームネットワークに接続されている録画装置１のＩＰアドレスに変換される。これにより、ウェブ閲覧部３のアクセス先は、当該ホームネットワークに接続された録画装置１となる。
【０１２２】
しかして、ウェブ閲覧装置３からのクエリは、録画装置１のネットワーク通信部１０１に転送される。ネットワーク通信部１０１は、かかるクエリをウェブサーバ部１０２転送する。ウェブサーバ部１０２は、かかるクエリを、アクセス先である命令解析部１０３のＣＧＩ（動画再生ＣＧＩ）に転送する（Ｓ５０５）。命令解析部１０３は、かかるクエリを解析し、クエリに含まれているＵＲＬを再生部１０６に転送する。再生部１０６は、当該ＵＲＬの動画情報ファイルにアクセスする（Ｓ５０６）。
【０１２３】
対応サイト４は、かかる命令解析部１０３からのアクセスを受けて、当該ＵＲＬの動画情報ファイルをファイル受信部１１２に送信し（Ｓ５０７）、しかる後、制御部１０９は再生部１０６に指令し、かかる動画ファイルの再生を再生部１０６に実行させる。再生部１０６は、ファイル受信部１１２で受信した動画情報を順次読み出して、これを処理する。しかして、動画ファイルに格納された動画が表示装置２上に表示される（Ｓ５０８）。
【０１２４】
なお、以上の動画ファイルは、音声情報を含むものである。また、上記動画ファイルに替えて楽曲等の音声情報ファイルを提供するようにしても良い。さらに、それ以外のデータ情報ファイルを提供するようにしても良い。
【０１２５】
以上のように、本実施の形態に係るネットワークシステムによれば、ウェブプロキシ装置８にてウェブページに動画再生ボタンが含められ、かかる動画再生ボタンをウェブ閲覧装置３にて操作することによって、録画装置１に動画情報ファイルが取り込まれるので、対応サイト４にページ記述上の制約を与えることなく、簡単な操作にて動画再生を実行させることができるようになる。
【０１２６】
なお、上記においては、動画再生装置１に取り込んだ動画情報ファイルをそのまま再生する場合の処理について説明したが、取り込んだ動画情報ファイルを一旦ハードディスク１０７に取り込み、しかる後、かかる動画情報ファイルをハードディスク１０７から読み出して再生するようにしても良い。かかる場合、命令解析部１０３内のＣＧＩは、動画再生処理を実行するためのものとされることは言うまでもない。
【０１２７】
その他、本発明の実施の形態は、本発明の技術的思想の範囲内において、適宜、種々の変更が可能である。
【０１２８】
【発明の効果】
以上、本発明によれば、外部サイトにメールアドレス等を登録することなく、円滑に録画予約を行うことができる。また、ウェブ閲覧装置を介して、録画予約状況を確認することもできる。さらに、外部サイトが情報ファイルのＵＲＬを提供する場合には、ホームネットワークに接続された内部機器から外部サイトにアクセスして所定の情報ファイルを直接取り出すことができるようになる。よって、メールアドレスを登録することなく、円滑に映像情報ファイル等の情報ファイルを取り込むことのできるネットワークシステムを構築できる。
【０１２９】
さらに、外部サイトから提供されるページ情報に録画予約ボタン等のハイパーリンクの記述を追記するリンク追記手段をホームネットワーク内に配すれば、外部サイトにページ記述上の制約を与えることなく、内部機器に録画予約等の動作を実行させることができるようになる。これにより、ネットワークシステムの実効性をより高めることができるようになる。
【図面の簡単な説明】
【図１】  実施の形態に係る録画予約ネットワークシステムを示す図
【図２】  対応サイトから提供されるページ情報の一例を示す図
【図３】  実施の形態に係る動作フローチャート
【図４】  他の実施の形態に係る録画予約ネットワークシステムを示す図
【図５】  当該他の実施の形態に係る動作フローチャート
【図６】  さらに他の実施の形態に係る動作フローチャート
【図７】  他の実施の形態に係る録画予約ネットワークシステムを示す図
【図８】  当該他の実施の形態に係る動作フローチャート
【図９】  他の実施の形態に係る動画再生ネットワークシステムを示す図
【図１０】  当該他の実施の形態に係る動作フローチャート
【図１１】  従来の録画予約ネットワークシステムを示す図
【符号の説明】
１  録画装置
３  ウェブ閲覧装置
４  対応サイト
５  ＤＮＳ装置
６  番組ＵＲＬ配布サイト
７  ウェブプロキシ装置
８  ウェブプロキシ装置
１０２  ウェブサーバ部
１０３  命令解析部
１０４  ウェブページ作成部
７０１  ウェブ記述変換部
８０１  ウェブ記述変換部
【図１】
0004262929.tif 000002
【図２】
0004262929.tif 000003
【図３】
0004262929.tif 000004
【図４】
0004262929.tif 000005
【図５】
0004262929.tif 000006
【図６】
0004262929.tif 000007
【図７】
0004262929.tif 000008
【図８】
0004262929.tif 000009
【図９】
0004262929.tif 000010
【図１０】
0004262929.tif 000011
【図１１】
0004262929.tif 000012